(57)【要約】【課題】従来のアンテナの半分以下に軽量化すると共に携帯電話機そのものを軽量化させた地上波デジタルテレビ用アンテナを提供する。【解決手段】アンテナ取付部１の上部にヒンジ機構の折曲部２を介して所定長さの細い金属線のエレメント３を樹脂等の絶縁材４で被覆した下部アンテナ５を設け、この下部アンテナ５の上部にヒンジ機構の折曲部２ａを介し、所定長さの細い金属線のエレメント３ａを樹脂等の絶縁材４ａで被覆した上部アンテナ６を連設し、この上部アンテナ６の頂部にカバーを設けたことを特徴とする。【選択図】図１
2008113397.tif 000002
【特許請求の範囲】
【請求項１】
携帯電話機内に取り付けられたアンテナ取付部の上部にヒンジ機構の折曲部を介して所定長さの細い金属線のエレメントを樹脂等の絶縁材で被覆した下部アンテナを設け、この下部アンテナの上部にヒンジ機構の折曲部を介して所定長さの細い金属のエレメントを樹脂等の絶縁材で被覆したした上部アンテナを連設し、この上部アンテナの頂部にカバ−を設けたことを特徴とする携帯電話機の地上波デジタルテレビ用アンテナ。
【請求項２】
複数個のヒンジ機構の折曲部を介し、所定長さの細い金属線のエレメントを樹脂等の絶縁材で被覆した複数個のアンテナを連設したことを特徴とする請求項１記載の地上波デジタルテレビ用アンテナ。
【発明の詳細な説明】
【技術分野】
【０００１】  本発明はテレビ付き携帯電話機のテレビ専用のアンテナに関するもので、可能な限り軽量なアンテナを構成することによって携帯電話機自体の軽量化を図ると共に、映像の角度に従って自在に折り曲げることができる地上波デジタルテレビ用アンテナに関するものである。
【背景技術】
【０００２】  従来、地上波デジタルテレビ用アンテナは携帯電話機の内部に設けられたアンテナ取付部を介して二段式の細い金属パイプを使用し、上下伸縮自在に取り付けられていた。
【発明の開示】
【０００３】  しかし、その金属パイプは４ｍｍφで長さ５０ｍｍ〜６０ｍｍ程度のものが必要であり、軽量化を目指す携帯電話機にとっては可なりの体積、重量になることから更にアンテナの小型化、軽量化を図る必要に迫られている現況にある。
本発明は携帯電話機のアンテナ取付部にヒンジ機構の折曲部を介し、所定長さの細い金属線のエレメントを樹脂等の絶縁材で被覆したアンテナを設けることによって従来のアンテナの半分以下に軽量化すると共に携帯電話機そのものを軽量化させた地上波デジタルテレビ用アンテナを提供することを目的とする。
【課題を解決するための手段】
【０００４】上記目的を達成するため本発明は、携帯電話機内に設けられたアンテナ取付部１の上部にヒンジ機構の折曲部２を介し、所定長さの細い金属線のエレメント３を樹脂材で被覆した下部アンテナ５を設け、この下部アンテナ５の上部にヒンジ機構の折曲部２ａを介し、所定長さの細い金属線のエレメント３ａを樹脂等の絶縁材で被覆した上部アンテナ６を連設し、この上部アンテナ６の頂部カバ−７を設けたもので、他の実施例として複数個のヒンジ機構の折曲部を介し、所定長さの細い金属線のエレメントを樹脂等の絶縁材で被覆した複数個のアンテナを連設したものである。
【発明の効果】
【０００５】  上記のように構成された本発明には次のような効果がある。
ａ．従来のアンテナは金属製筒状の主エレメントの中に副エレメントが摺動自在に挿着された二段式であるため、少なくとも４ｍｍφ×５０ｍｍ〜６０ｍｍ（長さ）の体積を必要としたが、本発明のアンテナは所定長さの細い金属線のエレメントを樹脂等の軽量な絶縁材で被覆したものを複数本折曲自在に連設したもので、体積も重量も従来のアンテナの半分以下である。
ｂ．本発明のアンテナは細い金属線を樹脂等の絶縁材で被覆した構成になっているのでコストも安く、製造工程も少ないので安価に提供できる。
ｃ．アンテナは引き出し式ではなく電話機の外部に折り畳み式に収納されるようになってるので、携帯電話機を横にしてテレビ画像を見る場合で縦の方向に折り曲げることができ、収納する場合、アンテナは電話機の外側にコンパクトに折り畳むことができる。
【発明を実施するための最良の形態】
【０００６】  以下、本発明の実施の形態を説明する。
図１はテレビ映像可能な携帯電話機に取り付けられる本発明の側面図、図２は従来の電話機のアンテナの一例を示した側面図、図３は複数のアンテナを折畳式に構成した本発明の他の実施例図、図４は携帯電話機の映像面を横に倒した状態の正面図、図５は本発明のアンテナの構成を示す斜視図で、図中の符号Ａはアンテナ、Ｂは携帯電話機を示す。【０００７】  アンテナＡは所定長さの樹脂等の絶縁材４で細い金属線のエレメント３を被覆した下部アンテナ５と折曲部２ａを介して樹脂等の絶縁材４ａで細い金属線のエレメントを被覆した上部アンテナ６で構成されているが図３に示したように折曲部を介して複数のアンテナを連設することによって長いアンテナが構成される。【０００８】  １は携帯電話機内に設けられたアンテナ取付部で、従来の金属パイプからなる二段式のアンテナはこのアンテナ取付部１を介して電話機の内部に挿入することによって収納されるようになっているが、近時、折曲部を介して電話機の外側に沿って倒すことによって収納されるアンテナが提供されている。
本発明のアンテナはヒンジ機構の折曲部２を介して折り曲げ自在にとなるように構成されている。【０００９】  ヒンジ機構の折曲部２は全方位折り曲げ自在なのでテレビ映像を見る際、電波の方向に合わせてアンテナを自在に折り曲げることができる。【００１０】  ３は所定長さの細い金属線のエレメントで、樹脂等の絶縁材４で被覆することによって下部アンテナ５が形成される。
３ａは前記下部アンテナと同様の細い金属線のエレメントであって樹脂等の絶縁材４で被覆することによって上部アンテナ６が形成される。
折曲部２ａを介して下部アンテナ５と上部アンテナ６を連設することによって一本のアンテナが形成される。【００１１】  ４、４ａは細い金属線のエレメントを被覆する樹脂等の絶縁材で、細い金属線を被覆している関係上、簡単に折れたり、折れ曲がったりしないように適度の硬さをもった可撓性の絶縁材が望ましい。【００１２】  下部アンテナ５は、細い金属線のエレメントを樹脂等の絶縁材４で被覆されたもので下端部がヒンジ機構の折曲部２を介し折曲自在にアンテナ取付部１に連設されている。【００１３】  上部アンテナ６は前記下部アンテナ５と同様、細い金属線のエレメント３ａが樹脂材等の絶縁材４ａで被覆されたもので、下端部がヒンジ機構の折曲部２ａを介して下部アンテナ５に折曲自在に連設されている。
尚、アンテナは図５に示したように細い円柱状のものと偏平状のものがあるが折り畳んで収納する場合は偏平状のアンテナが適切である。【００１４】  ７は上部アンテナ６の先端部に取り付けられたカバーで、アンテナの性能上、特に必要なものではないが鋭利な先端部による危険を防止するために設けられたものである。【００１５】  本発明の他の実施例として図３に示したように複数の折曲部を介し、複数本のアンテナを連設して軽量で長いアンテナを構成することによって受信性能を高めることができ、コンパクトに折り畳むことができるようにしたことによって安価で高性能のテレビ付携帯電話機が提供できる。【０１６】  上記のように構成された本発明は携帯電話機のテレビ専用のアンテナであって実際に使用する場合は図１に示したように電話機の上方に垂直状に立てて使用するが周囲の状況や場所によってアンテナを倒したり折り曲げたりして使用する。
図４に示したようにテレビを横にした状態で見る場合、アンテナが直立状になるように折り曲げる。
又、自動車や列車で移動中にテレビを見る場合は電波の方向に合わせてアンテナを倒したり折り曲げたりして調整することによって鮮明な画像を見ることができる。
【図面の簡単な説明】
【００１７】
【図１】  電話機に取り付けられる本発明の側面図
【図２】  従来の携帯電話機のアンテナの一例を示した図
【図３】  本発明の他の実施例図
【図４】  携帯電話機の映像画面を横にした状態の正面図
【図５】  本発明のアンテナの構成を示した図
【符号の説明】
【００１８】  １  アンテナ取付部
２  折曲部
２ａ  折曲部
３  エレメント
３ａ  エレメント
４  絶縁材
４ａ  絶縁材
５  下部アンテナ
６  上部アンテナ
７  カバー
Ａ  アンテナ
Ｂ  携帯電話機
【図１】
2008113397.tif 000003
【図２】
2008113397.tif 000004
【図３】
2008113397.tif 000005
【図４】
2008113397.tif 000006
【図５】
2008113397.tif 000007